(57)【要約】【課題】スパナなどの工具を用意することなく、圧力検査具の高圧ガス容器への着脱作業を手軽で容易に遂行し得ると共に、検査作業時の高圧ガス容器よりの残ガスの導出や、検査終了後における高圧ガス容器からの圧力検査具の取り外しを安全に遂行し得る圧力検査具を提供する。【解決手段】圧力計２１と、この圧力計に一端が連結されるととも他端がガス容器の容器弁の導出口に連結されてガス容器内のガスを圧力計内に導く連結管２と、この連結管の他端側に取り付けられて前記容器弁の導出口に螺合する袋ナット６と、この袋ナットに一体的に固定されたハンドル７と、前記連結管の他端側の通路に螺合された流量規制用ボルト３と、前記連結管の側壁に形成された貫通孔４と、この貫通孔の細孔４ａを開閉するニードル５ａを備えたローレットねじ５を有する圧力検査具である。【選択図】図１
2009014604.tif 000002
【特許請求の範囲】
【請求項１】
圧力計と、この圧力計に一端が連結されるととも他端がガス容器の容器弁の導出口に連結されてガス容器内のガスを圧力計内に導く連結管と、この連結管の他端側に取り付けられて前記容器弁の導出口に螺合して連結管を前記導出口に連結するナットと、このナットに一体的に固定されたハンドルと、前記連結管の他端側の通路に螺合された流量規制用ボルトと、前記連結管の側壁に形成された貫通細孔と、この貫通細孔を開閉するニードルを備えたローレットねじを有することを特徴とする圧力検査具。
【発明の詳細な説明】
【技術分野】
【０００１】
本発明は酸素ガス、窒素ガス等の高圧ガスを貯蔵する高圧ガス容器（ボンベ）に充填してあるガスの残圧を検査する圧力検査具に関し、高圧ガス容器への着脱が容易で安全に操作し得るようにしたものである。
【背景技術】
【０００２】
高圧ガス容器に充填した高圧ガスを使用後、再充填するにあたり、高圧ガス容器に高圧ガスが残っているか、又残っていればどのくらいの量が残っているのか残圧検査することが充填作業上必要である。
また、定期的に行う容器の耐圧試験等を行うに際しても、作業上残圧を検査し、残量を確認することにより、残量があれば容器より残ガスを大気放出するようにして、残圧を検査せずに弁を開けることにより生じる突然の放出を避けて、安全を確保している。                
【０００３】
このような圧力検査は、従来、図２に図示する方法で行っていた。これを図２に従って説明する。
高圧ガス容器１０の頭部に気密に螺合装着された容器弁１１の導出口１１ａに、圧力検査具２０を気密に連結した後に、弁棒１１ｂに連結した把手１２を操作して容器弁１１を開き、圧力検査具２０の圧力計２１と高圧ガス容器１０内と連通せしめる。そこで、圧力計２１の指針２１ａが残圧を指示し、この指示を読んで高圧ガス容器１０内に残っているガスの圧力（ガス量）を確認するものである。
【０００４】
この圧力検査具２０は、圧力計２１と導出管２２が連結されたものであって、導出管２２の管端にはパッキン２３が配された鍔部２２ａが設けられている。前記導出管２２の鍔部２２ａには袋ナット２４が設けられている。
【０００５】
このような構造の圧力検査具２０によって、高圧ガス容器１０内の残圧を検査するにあたっては、圧力計２１に連結された導出管２２の管端を容器弁１１の導出口１１ａに挿入して、袋ナット２４を導出口１１ａに螺合して、これで鍔部２２ａを押し進めて管端のパッキン２３を導出口１１ａに当接せしめ、さらに袋ナット２４をスパナ２５を使用して増し締めし、パッキン２３を緊密に導出口１１ａに密着せしめて導出管２２を導出口１１ａに装着する。
これにより圧力計２１を備えた圧力検査具２０は高圧ガス容器１０と気密に連結される。そして把手１２を回転して容器弁１１を開状態にして、高圧ガス容器１０内と圧力計２１と連通せしめて、高圧ガス容器１０内の圧力を圧力計２１に表示するものである。
【０００６】
検査終了後は、容器弁１１を閉じた後、スパナ２５を使用して袋ナット２４を緩めて、導出管２２を導出口１１ａより取り外して、圧力検査具２０を高圧ガス容器１０から取り外す。
【０００７】
ところで、従来の圧力検査具２０にあっては、これを高圧ガス容器１０に設けた容器弁１１の導出口１１ａに連結したり、導出口１１ａから取り外したりするに際して、気密に接続することからスパナ２５を使用して袋ナット２４を増し締めしたり、緩めたりする必要があって、スパナ２５を用意することが欠くべからざる要件であった。
しかし、しばしばその用意を欠くことが起き、作業が遅延する等の支障をもたらすことが生じていた。
【０００８】
また、容器弁１１を開いて高圧ガス容器１０内と圧力計２１とを連通するにあたり、把手１２の操作によって容器弁１１を開状態にした瞬間に、容器１０内の残ガスが急激に圧力計２１へ流れ込み、圧力計２１に衝撃を与えることとなり、圧力計２１に故障を惹起せしめたり、破損せしめたり、更には、これにより人身事故を誘発する恐れがあった。
特に、高圧ガス容器１０内の残ガス圧が高い場合にはより一層危険性が増す。しかも、高圧ガス容器１０内の残圧は検査によって始めて知ることができるので、予知し得ない伏態であるので尚更である。
【０００９】
さらに、圧力検査終了後容器弁１１を閉止して、圧力検査具２０を高圧ガス容器１０より離脱せしめる際、スパナ２５を使用して袋ナット２４を緩めて導出口１１ａから導出管２２を取り外すが、導出管２２内に残ガスが滞留していてこの残ガス圧力が負荷されており、袋ナット２４を緩めるために多大の力を必要とし、スパナ２５の使用が不可欠であった。その上、袋ナット２４を緩めた瞬間に、導出管２２内に滞留していて残ガスが管端から噴出し、人身に危険を及ぼす状態を惹起し、注意深く作業する必要があった。
【特許文献１】特開平６−３４７０１９号公報
【特許文献２】特開平９−１４５４４８号公報
【発明の開示】
【発明が解決しようとする課題】
【００１０】
本発明は上記事情に鑑みてなされたもので、スパナなどの工具を用意することなく、圧力検査具の高圧ガス容器への着脱作業を手軽で容易に遂行し得ると共に、検査作業時の高圧ガス容器よりの残ガスの導出や、検査終了後における高圧ガス容器からの圧力検査具の取り外しを安全に遂行し得る圧力検査具を提供することを課題とするものである。
【課題を解決するための手段】
【００１１】
かかる課題を解決するために、
請求項１にかかる発明は、圧力計と、この圧力計に一端が連結されるととも他端がガス容器の容器弁の導出口に連結されてガス容器内のガスを圧力計内に導く連結管と、この連結管の他端側に取り付けられて前記容器弁の導出口に螺合して連結管を前記導出口に連結するナットと、このナットに一体的に固定されたハンドルと、前記連結管の他端側の通路に螺合された流量規制用ボルトと、前記連結管の側壁に形成された貫通細孔と、この貫通細孔を開閉するニードルを備えたローレットねじを有することを特徴とする圧力検査具である。
【発明の効果】
【００１２】
本発明の圧力検査具にあっては、
（１）前記ナットにハンドルを一体化して設けたので、圧力検査具を高圧ガス容器の容器弁に着脱するにあたって、スパナをわざわざ用意する必要がなく、ハンドルを操作することにより手軽にナットを回転させることができ、増し締めも容易となり作業性が向上する。
（２）流量規制用ボルトを連結管に螺合して取り付けているので、容器弁の開弁時に導出口より流出する残ガスが制御されて圧力計への急激な流入が抑制され、圧力計への瞬間的な圧力負荷が防止されて安全に圧力検査作業をすることができる。
【００１３】
（３）さらに、連結管に貫通細孔を設け、この貫通細孔を開閉するニードルを有するローレッドねじを設けたので、検査終了時に容器弁を閉止した後にこのローレットねじを操作して貫通細孔を開状態とし、連結管内に滞留しているガスを大気に放出し、管内の圧力を低くすることができ、これにより前記ハンドルによる前記ナットの回転操作が容易になり、しかも前記ナットを緩める時に生じるガスの瞬間的な噴出が防止でき、安全な作業を遂行することができる。
かくして、予知することができない高圧ガス容器内の残留ガスの圧力を検査する上で、安全かつ作業性良く検査することができる圧力検査具としてその効果は著しい。
【発明を実施するための最良の形態】
【００１４】
図１は、本発明の圧力検査具の一例を説明する一部縦断面説明図である。なお、図２に図示した部分と共通するものは同一符号を使用し、その説明は省略する。
この例の圧力検査具１は、圧力計２１とこの圧力計２１に一端が螺合して連結された連結管２から概略構成され、連結管２の他端にはパッキン２３を配して鍔部２ａが設けられており、さらに連結管２の他端側の開口には、連結管２内に形成されたねじに螺合して前後進する流量規制用ボルト３が配されている。
【００１５】
この流量規制用ボルト３には、例えばボタンボルトなどのボルトが用いられ、これを連結管２にねじ込む際のねじ込み深さにより流量を調整することができるもので、ねじ山とねじ溝とのわずかな空隙をガスが流れ、ねじ込み深さが長くなると、前記空隙を流れるガスの流路抵抗が増加して流量を抑えることができる。
【００１６】
また、前記連結管２には、連結管２の管壁を貫通して管路内に通ずる貫通孔４が設けられている。この貫通孔４の管路側の部分は、孔径がさらに小さくなった細孔４ａとなっている。また、貫通孔４には、これに螺合するローレットねじ５が取り付けられている。このローレットねじ５の先端部分はニードル５ａとなっており、このニードル５ａが前記細孔４ａ内に通されるようになっている。そして、ローレットねじ５を前後進させることで、前記細孔４ａをニードル５ａで開閉できるように構成されている。
【００１７】
また、連結管２の鍔部２ａの外周側には、袋ナット６が取り付けられている。この袋ナット６は、連結管２に対してその軸方向に移動が可能となっており、袋ナット６を容器弁１１の導出口１１ａに螺合することで、容器弁１１に圧力検査具１を取り付けられるようになっている。
【００１８】
前記袋ナット６の圧力計２１側の端部には、全体形状が例えば把持可能な円盤状のハンドル７が一体に固定されている。このハンドル７は、合成樹脂や金属などからなるもので、これを回転させることで袋ナット６を小さな力で回転させることができる。
【００１９】
このような構造の圧力検査具１は次のようにして使用される。
（１）高圧ガス容器への装着
ローレットねじ５を締めて貫通孔４の細孔４ａをニードル５ａにより封止する。流量規制用ボルト３のねじ込み深さを調整した後、連結管２の管端を高圧ガス容器１０の容器弁１１の導出口１１ａに挿入し、袋ナット６をハンドル７によって回転して鍔部２ａを押進せしめて、連結管２を導出口１１ａにパッキン２３を介して気密に連結する。これにより、圧力検査具１は高圧ガス容器１０にスパナ等の工具を使用することなく手軽な作業で気密に装着される。
【００２０】
(２)圧力の検査
次いで、容器弁１１の弁棒１１ｂを把手１２で回転させて容器弁１１を開く。その結果圧力計２１は高圧ガス容器１０内と連通し、容器１０内に残余するガスが容器弁１１の導出口１１ａより連結管２を通って圧力計２１に流れ、圧力計２１の指針２１ａを作動せしめて、その時の圧力を指示する。これを読みとり検査する。
この時、前記容器弁１１の導出口１１ａより連結管２に流れるガスの量は、流量規制用ボルト３で規制されて緩やかに流れ、その結果容器弁１１の開弁時においても急激な圧力負荷を圧力計２１に与えることが無く、安全に作動し、圧力計２１が故障することなく、検査を安定した状態で行うことができる。
【００２１】
（３）高圧ガス容器からの取り外し
圧力検査終了後、圧力検査具１を高圧ガス容器１０の容器弁１１から取り外す場合は、容器弁１１の弁棒１１ｂを把手１２で回転させて容器弁１１を閉止し、次いで連結管２のローレットねじ５を回転してニードル５ａが細孔４ａから脱離するように操作して、連結管２内に滞留しているガスを大気に放出し、連結管２内の滞留ガスによる圧力保持を解除する。その後、ハンドル７を回転して、袋ナット６を緩め、袋ナット６を高圧ガス容器１０の容器弁１１の導出口１１ａから取り外し、圧力検査具１を高圧ガス容器１０の容器弁１１から取り外す。
【００２２】
この時、連結管２内の圧力が開放されて大略大気圧に近いので、弱い力でハンドル７を回転させることができ、袋ナット６を容易に前記導出口１１ａから取り外すことができる。また、袋ナット６を緩め、取り外しを開始した直後に、連結管２内に滞留ガスが噴出することがなく、安全な作業を行うことができる。
【産業上の利用可能性】
【００２３】
本発明の圧力検査具は、高圧ガス容器（ボンベ）内に残余する高圧ガスの圧力を検査するためのものであって、取扱いが手軽であると共に、安全な着脱操作及び検査作業が可能となり、溶接作業におけるガス、食品保存のため不活性雰囲気用ガス、更には半導体製造用ガス、高圧ガスを使用する多くの産業界への利用が見込まれ、特に安全操業と作業性の向上に及ぼす効果は大きい。
【図面の簡単な説明】
【００２４】
【図１】本発明の圧力検査具の一例を説明する一部縦断面説明図である。
【図２】従来の圧力検査具の使用態様の一例を説明する説明図である。
【符号の説明】
【００２５】
１・・・圧力検査具、２・・・連結管、２ａ・・・鍔部、３・・・流量規制用ボルト、４・・・貫通孔、４ａ・・細孔、５・・・ローレットねじ、５ａ・・・ニードル、６・・・袋ナット、７・・・ハンドル、１０・・・高圧ガス容器、１１・・・容器弁、１１ａ・・・導出口、１１ｂ・・・弁棒、１２・・・把手、２１・・・圧力計、２１ａ・・・指針、２５・・・スパナ。
【図１】
2009014604.tif 000003
【図２】
2009014604.tif 000004